(57)【要約】【課題】  安定した測定を可能にすることができるセンサー安定保持装置を得る。【解決手段】  生体組織が接触することにより生体信号を測定するセンサー２を保持するためのセンサーヘッド３と、センサーヘッド３に設けられ、センサー２及びセンサーヘッド３に加わる力を分散させる緩衝手段４と、センサーヘッド３と緩衝手段４とを保持するフレーム５とを備えている。また、フレーム５には、センサーヘッド３を案内する案内開口６が形成されており、センサーヘッド３は、この案内開口６に案内されながら移動可能になっている。また、緩衝手段４は、柔軟性の高い素材であり、センサー２及びセンサーヘッド３に加わる力によって受動的に変形するようになっている。【選択図】  図１
2005102926.tif 000002
【特許請求の範囲】
【請求項１】
生体組織が接触することにより生体信号を測定するセンサーを保持するためのセンサーヘッドと、
前記センサーヘッドに設けられ、前記センサー及び前記センサーヘッドに加わる力を分散させる緩衝手段と、
前記センサーヘッドと前記緩衝手段とを保持するフレームとを備えていることを特徴とするセンサー安定保持装置。
【請求項２】
請求項１に記載のセンサー保持装置において、
前記フレームには、前記センサーヘッドを案内する案内開口が形成されており、該センサーヘッドは、この案内開口に案内されながら移動可能になっていることを特徴とするセンサー安定保持装置。
【請求項３】
請求項１又は２に記載のセンサー保持装置において、
前記緩衝手段は、柔軟性の高い素材であり、前記センサー及び前記センサーヘッドに加わる力によって受動的に変形することを特徴とするセンサー安定保持装置。
【発明の詳細な説明】
【技術分野】
【０００１】
本発明は、体組織に接触させて生体信号を測定する生体センサーに適用可能なセンサー安定保持装置に関するものである。
【背景技術】
【０００２】
従来において、体組織に接触させて生体信号を測定する生体センサーが知られている（例えば、特許文献１参照。）。
【特許文献１】特開２００１−１０４２５６号公報
【発明の開示】
【発明が解決しようとする課題】
【０００３】
しかしながら、従来における生体センサーは、接触圧によってセンサーに接触している体組織が変形してしまい、その結果、安定した測定を行うことができないという問題がある。
【０００４】
本発明は、上述のような従来技術の問題点に鑑みてなされたものであり、安定した測定を可能にすることができるセンサー安定保持装置を提供することを目的とする。
【課題を解決するための手段】
【０００５】
本発明は、生体組織が接触することにより生体信号を測定するセンサーを保持するためのセンサーヘッドと、前記センサーヘッドに設けられ、前記センサー及び前記センサーヘッドに加わる力を分散させる緩衝手段と、前記センサーヘッドと前記緩衝手段とを保持するフレームとを備えていることを特徴とするセンサー安定保持装置を提供する。
【０００６】
また、前記フレームには、前記センサーヘッドを案内する案内開口が形成されており、該センサーヘッドは、この案内開口に案内されながら移動可能になっている。また、前記緩衝手段は、柔軟性の高い素材であり、前記センサー及び前記センサーヘッドに加わる力によって受動的に変形するようになっている。
【発明の効果】
【０００７】
本発明によれば、生体組織が接触することにより生体信号を測定するセンサーを保持するためのセンサーヘッドと、前記センサーヘッドに設けられ、前記センサー及び前記センサーヘッドに加わる力を分散させる緩衝手段と、前記センサーヘッドと前記緩衝手段とを保持するフレームとを備えているため、センサー及びセンサーヘッドに加わる力を緩衝手段によって分散させて生体組織に加わる圧力を予め設定した範囲内におさめることができると共に、短時間での微少な圧力変動を取り除くことができ、もって、安定した測定を行うことができる。
【発明を実施するための最良の形態】
【０００８】
以下、本発明にかかるセンサー安定保持装置を実施するための最良の形態について図面を参照しながら述べる。図１に示すように、センサー安定保持装置１は、センサー２を保持するためのセンサーヘッド３と、緩衝手段としての緩衝材４と、フレーム５とを主に備えている。
【０００９】
センサー２は、生体センサーであり、生体組織が接触することにより生体信号を測定することができるものである。このセンサー２は、ブロック状のセンサーヘッド３に保持されている。センサーヘッド３の一面（図１において上面）には、溝３ａが形成されており、この溝３ａ内にセンサー２が埋め込まれている。図示のように、センサーヘッド３の一面とセンサー２の一面とは同一平面上にあり、センサー２はセンサーヘッド３の一面から突出していない。
【００１０】
センサーヘッド３の一面（図１において下面）には、緩衝手段としての緩衝材４が接触して配置されている。この緩衝材４は、生体組織がセンサー２及びセンサーヘッド３に接触する際に、センサー２及びセンサーヘッド３に加わる力を分散させるためのものである。緩衝材４は、柔軟性の高い素材であり、センサー２及びセンサーヘッド３に加わる力によって受動的に変形するものである。
【００１１】
センサー２を保持するセンサーヘッド３と緩衝材４は、フレーム５によって保持されている。フレーム５は、その内部中央に中空部７が形成されており、この中空部７内に緩衝材４が保持されている。フレーム５の一面（図１において上面）には、中空部７に連通した案内開口６が形成されている。この案内開口６は、センサーヘッド３の外形寸法よりも若干大きい寸法を有する開口であり、フレーム５の一面に対して直交する方向（図１において上下方向）に、センサーヘッド３をこの直交方向に案内するのに十分な幅を有している。従って、センサーヘッド３は、この案内開口６に案内されながら上下方向に移動可能になっている。
【００１２】
次に、上記実施の形態の動作について説明する。図２に示すように、生体組織としての指先８をセンサー２に接触させて指先８の血流量を測定する場合、センサー２は、血中ヘモグロビンの光吸収域近傍の周波数を持つ半導体レーザーを用いる。一般的に指先をセンサーに接触させた場合、指先とセンサーとの間にかかる圧力が１３０ｇ／ｃｍ2程度のとき、測定信号の脈圧（拍動する血流量一拍の中における最大値と最小値の差）が最も大きくなりかつ雑音が最も小さくなる。従って、緩衝材４の硬度を、この圧力になるように予め設定しておく。
【００１３】
指先８をセンサー２に押し当てて接触させると、センサーヘッド３が案内開口６に案内されながら緩衝材４側（図２において下方向）に移動し、センサー２及びセンサーヘッド３に加わる力が緩衝材４によって吸収（分散）される。従って、接触圧によってセンサーに接触している体組織が変形することはなく、生体組織に加わる圧力を予め設定した範囲内におさめることができると共に、短時間での微少な圧力変動を取り除くことができ、もって、安定した測定を行うことができる。すなわち、センサー２を適当な力で計測部位に押しつけて、その接触状態を安定させると共に、計測部位に過剰な力が加わらないようにすることが可能となる。また、指先から加わる大きな力はフレームで受けることができるため、計測部位に過剰な力が加わらないようにすることができる。
【００１４】
社会の高齢化が進む中、医療費の急増や、看護・介護従事者の不足が現実化しつつある。このような状況を解消し、高齢者が心身ともに健康に豊かな生活を送るためには、高齢者自身が健康な状態を維持することが重要であり、そのためには日常的な健康管理を行うことが望ましい。
【００１５】
また、個人の生活パターンを考慮して日常生活で必ず立ち寄る場所や触れる箇所に、本発明を埋め込んで目立たなくさせることにより、間欠的ではあるが継続的に生理状態の取得が可能となる。また、本発明を埋め込んで隠しているので一般の計測機器のように計測時に身構えるなどの所作を引き起こすことがなく、日常生活において意識することなく平時の体調測定を行うことができる。
【００１６】
本発明のセンサーは、ヘモグロビンの近赤外光の吸光度を利用して血液の脈動を電気的に計測することが可能である。
【図面の簡単な説明】
【００１７】
【図１】図１は、本発明にかかるセンサー安定保持装置の実施の形態を示す側面図である。
【図２】図２は、上記実施の形態を示す別の側面図である。
【符号の説明】
【００１８】
１    センサー安定保持装置
２    センサー
３    センサーヘッド
３ａ  溝
４    緩衝材
５    フレーム
６    案内開口
７    中空部
８    生体組織
【図１】
2005102926.tif 000003
【図２】
2005102926.tif 000004